(57)【要約】【課題】、簡単でかつ低コストな構造により、トンネル間接続部の継手位置の曲げモーメントを低減することができる。【解決手段】シールド工法により先行して構築される単円トンネル１０Ａ、１０Ｂを構成する単円セグメントに対して、大断面トンネル１を構成する接続セグメント２１を接続するためのトンネル接続構造であって、単円セグメントのトンネル周方向の一部に介挿されて設けられるとともに、トンネル周方向の一端の第１接合端面３１に第１単円セグメント１１が接続され、他端の第２接合端面３２に接続セグメント２１の接続主桁及び第２単円セグメント１２の単円主桁の両方が接続される接合セグメント３０を備え、接合セグメント３０の第２接合端面３２には、単円主桁と接続主桁とがトンネル軸方向にずれた位置で接続される構成のトンネル接続構造を提供する。【選択図】図１
2015059395.tif 000002
【特許請求の範囲】
【請求項１】
先行して構築される単円トンネルを構成する単円セグメントに対して、該単円トンネルとは別のトンネルを構成する接続セグメントを接続するためのトンネル接続構造であって、
前記単円セグメントのトンネル周方向の一部に介挿されて設けられるとともに、トンネル周方向の一端の第１接合端面に前記単円セグメントが接続され、他端の第２接合端面に前記接続セグメントの接続主桁及び前記単円セグメントの単円主桁の両方が接続される接合セグメントを備え、
該接合セグメントの前記第２接合端面には、前記単円主桁と前記接続主桁とがトンネル軸方向にずれた位置で接続されることを特徴とするトンネル接続構造。
【請求項２】
前記第２接合端面に接続される前記単円主桁と前記接続主桁は、少なくとも一方が複数設けられ、
前記単円主桁と前記接続主桁がトンネル軸方向に交互に配置されていることを特徴とする請求項１に記載のトンネル接続構造。
【請求項３】
前記接合セグメントと、該接合セグメントの前記第１接合端面及び前記第２接合端面に接続される単円セグメントとは、それぞれトンネル半径方向における地山側の外周面位置がトンネル周方向において一致していることを特徴とする請求項１又は２に記載のトンネル接続構造。
【請求項４】
前記接合セグメントのトンネル周方向の中間部分または前記第１接合端面には、前記第２接合端面に対向するエンドプレートが設けられ、
前記第２接合端面を構成する接合プレートと、前記エンドプレートとを連結する補剛材が設けられていることを特徴とする請求項１乃至３のいずれか１項に記載のトンネル接続構造。
【請求項５】
前記単円主桁及び前記接続主桁には、前記第２接合端面に接続する端部にボルト孔を有する接続板が設けられ、
該接続板を前記第２接合端面に当接させてボルトで連結されていることを特徴とする請求項１乃至４のいずれか１項に記載のトンネル接続構造。
【請求項６】
前記第２接合端面に接続される前記単円主桁は、前記接続セグメントが前記第２接合端面に接続された後の状態において、前記第２接合端面に対して着脱可能に接続されていることを特徴とする請求項１乃至５のいずれか１項に記載のトンネル接続構造。
【請求項７】
前記第２接合端面の下側部分からトンネル周方向の外側に向けて突出する凸部が形成され、
該凸部の地山側の外周面には、少なくとも前記接続セグメントが当接していることを特徴とする請求項１乃至６のいずれか１項に記載のトンネル接続構造。
【請求項８】
前記接合セグメントの前記第２接合端面と、該第２接合端面に接続される前記単円セグメントの端面には、それぞれ同一のトンネル半径方向位置に接合シール溝、及び単円シール溝がトンネル軸方向に連続して設けられ、これらシール溝に沿って接合シール材及び単円シール材が連続して備えられ、該接合シール材と該単円シール材同士がトンネル軸方向に連続して当接し、
前記第２接合端面に接合される前記接続セグメントに設けられた接続板には、接続シール溝が前記単円シール溝と同一のトンネル半径方向位置に連続して設けられ、前記接続シール溝に沿って接続シール材が連続して備えられ、前記第２接合端面に接続される前記単円セグメントの単円シール材と前記接続セグメントの接続シール材とがトンネル軸方向に連続するととともに、前記接合シール材に当接したシール構造を有することを特徴とする請求項１乃至７のいずれか１項に記載のトンネル接続構造。
【請求項９】
前記接合セグメントと前記接続セグメントとに備えられたスキンプレートは、互いにトンネル周方向に連設されていることを特徴とする請求項１乃至８のいずれか１項に記載のトンネル接続構造。
【請求項１０】
前記別のトンネルは、近接する２本の前記単円トンネルを連結して構成される楕円形状のトンネルであり、
前記接続セグメントが前記２本の単円トンネルのそれぞれの単円セグメントに前記接合セグメントを介して連結されていることを特徴とする請求項１乃至９のいずれか１項に記載のトンネル接続構造。
【請求項１１】
請求項１乃至１０のいずれか１項に記載のトンネル接続構造を用いたトンネル接続方法であって、
前記単円セグメントのトンネル周方向の一部に前記接合セグメントを介挿し、該接合セグメントの前記第１接合端面及び第２接合端面に前記単円主桁を接続してリング状の単円トンネルを構築する工程と、
前記第２接合端面の前記単円主桁を接続していないトンネル軸方向にずれた位置に、前記接続セグメントの前記接続主桁を接続する工程と、
を有することを特徴とするトンネル接続方法。
【請求項１２】
前記接続セグメントを前記接合セグメントの第２接合端面に接続する前に、
前記第２接合端面に接続されている単円セグメントのスキンプレートの一部又は全てを取り外すことを特徴とする請求項１１に記載のトンネル接続方法。
【請求項１３】
前記第２接合端面に前記接続セグメントが接続された後、前記第２接合端面に接続されている単円セグメントの前記単円主桁を撤去することを特徴とする請求項１１又は１２に記載のトンネル接続方法。
【請求項１４】
前記接続セグメントを前記接合セグメントの前記第２接合端面に接続する前に、前記単円セグメントと該接合セグメントの該第２接合端面との間に設けられたシール材同士が同一のトンネル半径方向位置においてトンネル軸方向に連続して当接し、
該第２接合端面に該接続セグメントが接続された後、取り外された前記単円セグメントの接続板の代わりに介挿された前記接続セグメントの端面に備えられたシール材と、残置された該単円主桁に備えられた前記シール材と、がトンネル軸方向に連続し、
前記単円セグメント及び前記接続セグメントに備えられたシール材と、前記接合セグメントに備えられたシール材同士が同一のトンネル半径方向位置においてトンネル軸方向に連続して当接することを特徴とする請求項１１乃至１３のいずれか１項に記載のトンネル接続方法。
【発明の詳細な説明】
【技術分野】
【０００１】
本発明は、シールド工法により先行して構築されるトンネルと別のトンネルを接続するためのトンネル接続構造およびトンネル接続方法に関する。
【背景技術】
【０００２】
従来、シールド工法によって構築される近接する複数のトンネル同士を連結するトンネル構造として、特許文献１に記載されるように先行して施工されたシールドトンネル同士の間に外殻部（支保構造体）を設け、その支保構造体の内側の地山を掘削することにより大断面地下空間を構築する拡幅構造が一般的に知られている。
【０００３】
特許文献１のような拡幅構造では、例えば図１５に示すように、シールドトンネル４Ａ、４Ｂを構成するセグメントの外面に仮補填ケース４１を着脱自在に取り付けた接続セグメント接合用凹部４ａが形成され、前記仮補填ケース４１中に充填材を充填することにより接続セグメント接合用凹部４ａを仮に補填できるようにしている。
【０００４】
そして、この場合、シールドトンネル４Ａ、４Ｂに接続セグメントを接合する際において、接続セグメント接合用凹部４ａに接続セグメントの端部を嵌合させて、セグメント同士を接合することで、両シールドトンネル４Ａ、４Ｂの間に接続セグメントによる拡幅覆工が延設されて切り拡げられた拡幅構造となっている。
【先行技術文献】
【特許文献】
【０００５】
【特許文献１】特許第４７８２７０４号公報
【発明の概要】
【発明が解決しようとする課題】
【０００６】
しかしながら、従来のトンネル接続構造では、以下のような問題があった。
すなわち、従来の拡幅構造では、図１５において、シールドトンネル４Ａ、４Ｂのセグメントの外面に切欠部（接続セグメント接合用凹部４ａ）を設ける必要となることから、セグメントが複雑な構造となり、製造にかかるコストが増大するという問題があった。
【０００７】
また、シールドトンネルの施工中には、トンネル掘削直後で組み立てられるセグメントの前記切欠部に充填材が充填されるものの、トンネル構造上、接続部の継手位置に大きな曲げモーメントが作用し、発生断面力が大きくなる。したがって、セグメント同士の接続部の設計が過大となるうえ、コストが増大するという問題があり、その点で改善の余地があった。
【０００８】
本発明は、上述する問題点に鑑みてなされたもので、簡単でかつ低コストな構造により、トンネル間接続部の継手位置の曲げモーメントを低減することができるトンネル接続構造およびトンネル接続方法を提供することを目的とする。
【課題を解決するための手段】
【０００９】
上記目的を達成するため、本発明に係るトンネル接続構造では、先行して構築される単円トンネルを構成する単円セグメントに対して、該単円トンネルとは別のトンネルを構成する接続セグメントを接続するためのトンネル接続構造であって、前記単円セグメントのトンネル周方向の一部に介挿されて設けられるとともに、トンネル周方向の一端の第１接合端面に前記単円セグメントが接続され、他端の第２接合端面に前記接続セグメントの接続主桁及び前記単円セグメントの単円主桁の両方が接続される接合セグメントを備え、該接合セグメントの前記第２接合端面には、前記単円主桁と前記接続主桁とがトンネル軸方向にずれた位置で接続されることを特徴としている。
【００１０】
また、本発明に係るトンネル接続方法では、上述したトンネル接続構造を用いたトンネル接続方法であって、前記単円セグメントのトンネル周方向の一部に前記接合セグメントを介挿し、該接合セグメントの前記第１接合端面及び第２接合端面に前記単円主桁を接続してリング状の単円トンネルを構築する工程と、前記第２接合端面の前記単円主桁を接続していないトンネル軸方向にずれた位置に、前記接続セグメントの前記接続主桁を接続する工程と、を有することを特徴としている。
【００１１】
本発明では、接合セグメントの第２接合端面に単円トンネルの単円セグメントと、別のトンネルの接続セグメントとの両方を同時に、且つそれぞれの主桁同士を干渉させることなく接続することができる。そのため、単円トンネルを安定させた状態のまま、単円セグメントの一部に接合セグメントを介して接続セグメントを接続することができる。そして、主桁同士を干渉させることなく接続することが可能であるので、その接合部分の周辺地山の安定性を確保した後に、接合セグメントに接続される単円セグメントを取り外し、残った単円セグメントと接続セグメントとによって外殻を形成させた大空間地下空間を構築することができる。
【００１２】
そして、本発明では、接合セグメントが従来のように特殊な切欠部が設けられた複雑な構造のセグメントではなく、簡単な構造となるうえ、切欠部を設けたセグメントのような過大な曲げモーメントが作用することがないという利点がある。
【００１３】
また、本発明に係るトンネル接続構造では、前記第２接合端面に接続される前記単円主桁と前記接続主桁は、少なくとも一方が複数設けられ、前記単円主桁と前記接続主桁がトンネル軸方向に交互に配置されていることが好ましい。
【００１４】
このような構成とすることで、接合セグメントの第２接合端面に接続される単円主桁と接続主桁とがトンネル軸方向にバランス良く配置されることとなり、曲げモーメントの安定性を高めることができる。
【００１５】
また、本発明に係るトンネル接続構造では、前記接合セグメントと、該接合セグメントの前記第１接合端面及び前記第２接合端面に接続される単円セグメントとは、それぞれトンネル半径方向における地山側の外周面位置がトンネル周方向において一致していることを特徴としている。
【００１６】
この場合には、単円トンネルにおける地山側のトンネル外周面位置を一致させた切欠部の無い構造となり、トンネル周方向に連結される個々の単円セグメント同士の外周面が全周にわたって滑らかに連続するため、偏心に伴う曲げが作用することはなく、上述したような過大な曲げモーメントが作用しない構造をより確実に実現することができる。
また、シールド工法により単円トンネルを構築する場合には、切欠部が無いことからシールドマシンの筒状のシールド内面と単円トンネル（単円セグメント）の外面との隙間を最小限にできるので、施工中の水密性（すなわち、テールシールによる水密性）を確保することが可能になる。
【００１７】
また、本発明に係るトンネル接続構造では、前記接合セグメントのトンネル周方向の中間部分または前記第１接合端面には、前記第２接合端面に対向するエンドプレートが設けられ、前記第２接合端面を構成する接合プレートと、前記エンドプレートとを連結する補剛材が設けられていることが好ましい。
【００１８】
この場合には、接続セグメントや単円セグメントによるトンネル周方向の軸力を、接合セグメントの接合プレートに設けた補剛材からエンドプレートを介して単円トンネル全体に伝達することができる。
【００１９】
また、本発明に係るトンネル接続構造では、前記単円主桁及び前記接続主桁には、前記第２接合端面に接続する端部にボルト孔を有する接続板が設けられ、該接続板を前記第２接合端面に当接させてボルトで連結されていることが好ましい。
【００２０】
この場合には、第２接合端面に対して単円主桁及び接続主桁をボルト接合により簡単に、且つ短時間で取り付けて接続することができるので、効率よく施工を行うことが可能となる。
【００２１】
また、本発明に係るトンネル接続構造では、前記第２接合端面に接続される前記単円主桁は、前記接続セグメントが前記第２接合端面に接続された後の状態において、前記第２接合端面に対して着脱可能に接続されていることが好ましい。
【００２２】
この場合には、単円主桁が例えばボルト接合等の着脱可能な接合手段によって接合セグメントの第２接合端面に接続されているので、接続セグメントを接合セグメントの第２接合端面に接続した後に、第２接合端面に接続される単円主桁を容易に取り外して撤去することが可能となる。
【００２３】
また、本発明に係るトンネル接続構造では、前記第２接合端面の下側部分からトンネル周方向の外側に向けて突出する凸部が形成され、該凸部の地山側の外周面には、少なくとも前記接続セグメントが当接していることが好ましい。
【００２４】
本発明によれば、接合セグメントが単円トンネルの上側に位置し、接合セグメントの第２接合端面に単円セグメントだけでなく接続セグメントも接続された場合には、その第２接合端面の部分に作用する曲げモーメントが大きくなるが、第２接合端面に接続される接続主桁が凸部の外周面に当接し、接続主桁の荷重を接合セグメント全体で負担することができる。そのため、前記第２接合端面の部分に作用する曲げモーメントを抑制することができ、トンネルの安定性を確保することができる。
【００２５】
また、本発明に係るトンネル接続構造では、前記接合セグメントの前記第２接合端面と、該第２接合端面に接続される前記単円セグメントの端面には、それぞれ同一のトンネル半径方向位置に接合シール溝、及び単円シール溝がトンネル軸方向に連続して設けられ、これらシール溝に沿って接合シール材及び単円シール材が連続して備えられ、該接合シール材と該単円シール材同士がトンネル軸方向に連続して当接し、前記第２接合端面に接合される前記接続セグメントに設けられた接続板には、接続シール溝が前記単円シール溝と同一のトンネル半径方向位置に連続して設けられ、前記接続シール溝に沿って接続シール材が連続して備えられ、前記第２接合端面に接続される前記単円セグメントの単円シール材と前記接続セグメントの接続シール材とがトンネル軸方向に連続するととともに、前記接合シール材に当接したシール構造を有することが好ましい。
【００２６】
また、本発明に係るトンネル接続方法では、前記接続セグメントを前記接合セグメントの前記第２接合端面に接続する前に、前記単円セグメントと該接合セグメントの該第２接合端面との間に設けられたシール材同士が同一のトンネル半径方向位置においてトンネル軸方向に連続して当接し、該第２接合端面に該接続セグメントが接続された後、取り外された前記単円セグメントの接続板の代わりに介挿された前記接続セグメントの端面に備えられたシール材と、残置された該単円主桁に備えられた前記シール材と、がトンネル軸方向に連続し、前記単円セグメント及び前記接続セグメントに備えられたシール材と、前記接合セグメントに備えられたシール材同士が同一のトンネル半径方向位置においてトンネル軸方向に連続して当接することが好ましい。
【００２７】
本発明によれば、トンネル内部への地下水の浸水を防止するためのシール構造が、接合セグメントに対して単円セグメントのみが接続されている場合、及び接続セグメントが接続された場合において、同一のトンネル半径方向位置に備えられることから、接続トンネルの接続前後で地下水がトンネル内空側へ浸水することを防止することが可能となる。
【００２８】
また、本発明に係るトンネル接続構造では、前記接合セグメントと前記接続セグメントとに備えられたスキンプレートは、互いにトンネル周方向に連設されていることが好ましい。
【００２９】
この場合、接合セグメントに接続セグメントが接続された後でも、接合セグメントと接続セグメントのそれぞれのトンネル外周面に位置するスキンプレート同士がトンネル周方向に連設し、両スキンプレート間に隙間が形成されないので、地下水がトンネル内空側へ浸水することを防止することが可能となる。
【００３０】
また、本発明に係るトンネル接続構造では、前記別のトンネルは、近接する２本の前記単円トンネルを連結して構成される楕円形状のトンネルであり、前記接続セグメントが前記２本の単円トンネルのそれぞれの単円セグメントに前記接合セグメントを介して連結される構成とするようにしてもよい。
【００３１】
この発明では、接合セグメントによる単円セグメントと別のトンネルとの間の接続位置を、楕円形状のトンネルにおけるトンネル外側の位置にすることで、トンネル断面を大きく膨らませることなく楕円形に近い形状にすることが可能となり、接合セグメントとの継手部に発生する曲げモーメントを低減することができる。
【００３２】
また、本発明に係るトンネル接続方法では、前記接続セグメントを前記接合セグメントの第２接合端面に接続する前に、前記第２接合端面に接続されている単円セグメントのスキンプレートの一部又は全てを取り外すことが好ましい。
【００３３】
この場合には、第２接合端面に接続されている単円セグメントのスキンプレートが設けられているときには、単円トンネルのみでトンネルとして機能させることができる。そして、接続セグメントを第２接合端面に接続する直前にのみ、前記スキンプレートの一部又は全てを取り外すことで、接続主桁の第２接合端面への接続部分の領域が開放され、その接続主桁を単円セグメントのスキンプレートに干渉することなく接続することができる。
【００３４】
また、本発明に係るトンネル接続方法では、前記第２接合端面に前記接続セグメントが接続された後、前記第２接合端面に接続されている単円セグメントの前記単円主桁を撤去することが好ましい。
【００３５】
この場合には、接合セグメントの第２接合端面に別のトンネルの接続セグメントが接続されるので、その接合部分の周辺地山の安定性を確保した後に、接合セグメントに接続される単円セグメントを取り外して撤去することができ、残った単円セグメントと接続セグメントとによって外殻を形成させた大空間地下空間を構築することができる。
【発明の効果】
【００３６】
本発明のトンネル接続構造およびトンネル接続方法によれば、簡単でかつ低コストな構造により、トンネル間接続部の継手位置の曲げモーメントを低減することができる。
【図面の簡単な説明】
【００３７】
【図１】本発明の実施の形態によるトンネル接続構造を用いた大断面トンネルの施工状態を示すトンネル断面図である。
【図２】図１に示すトンネル接続構造の斜視図であって、（ａ）は単円トンネルと接続セグメントとがトンネル軸方向に一致して設けられた図、（ｂ）はトンネル軸方向に半ピッチだけずらした状態の図である。
【図３】図１に示すトンネル接続構造の拡大図であって、（ａ）は第２単円セグメントの単円主桁を接続セグメントの接続主桁よりも手前側から見た図、（ｂ）は接続主桁を単円主桁よりも手前側から見た図である。
【図４】接合セグメントを斜め第２接合端面側から見た斜視図である。
【図５】第２単円セグメントの接合セグメントの接続側をトンネル内周面側から見た斜視図であって、（ａ）は接続セグメントの接続前の状態を示す図、（ｂ）は接続セグメントの接続後の状態を示す図である。
【図６】接続セグメントの接合セグメントの接続側をトンネル内周面側から見た斜視図である。
【図７】接続主桁及び単円主桁を接続した状態の接合セグメントを斜め第２接合端面側から見た斜視図である。
【図８】接合セグメントの第２接合端面側の一部をトンネル内空側から見た図である。
【図９】図８に示すＡ−Ａ線断面図である。
【図１０】図８に示すＢ−Ｂ線断面図であって、（ａ）は第２接合端面に接続セグメントを接続した状態の図、（ｂ）は第２接合端面と接続セグメントとの接続前の状態の図である。
【図１１】トンネル接続構造を用いたトンネル接続方法による施工状態を示すトンネル断面図である。
【図１２】図１１に続くトンネル接続方法による施工状態を示すトンネル断面図である。
【図１３】トンネル接続方法によって構築された大断面トンネルの完成図である。
【図１４】変形例によるトンネル接続構造の図であって、図３（ａ）に対応する図である。
【図１５】従来のトンネル接続構造を示すトンネル断面図である。
【発明を実施するための形態】
【００３８】
以下、本発明の実施の形態によるトンネル接続構造およびトンネル接続方法について、図面に基づいて説明する。
【００３９】
図１に示すように、本実施の形態によるトンネル接続構造は、例えば道路トンネルの分岐合流部等の大断面地下空間を築造する場合に採用され、シールド工法により先行して平行して構築される２本の単円トンネル１０（１０Ａ、１０Ｂ）同士の間に後行で拡幅トンネル部２０を構築し、全体として略楕円形状の大断面トンネル１を構築する際に適用される。この大断面トンネル１（単円トンネルとは別のトンネル）の外殻は、２本の単円トンネル１０Ａ、１０Ｂの外側を取り囲む形状をなしている。
【００４０】
単円トンネル１０は、シールド掘削機（図示省略）によって掘進し、セグメントを用いて円形トンネル壁を形成するシールド工法によって構築されるシールドトンネルである。ここで、前記シールド掘削機としては、例えば切羽を密閉方式による掘削方式で、カッタ、推進ジャッキ、スキンプレートなどを備えた周知の機構を有するものが採用される。
ここで、図１のトンネル断面図は、トンネル軸方向で切羽側から発進側を見た図であって、大断面トンネル１の施工途中の状態である。
【００４１】
なお、図１において紙面に向けて左側に位置する一方を第１単円トンネル１０Ａとし、右側に位置する他方を第２単円トンネル１０Ｂとする。
また、図１に示す大断面トンネル１、単円トンネル１０、拡幅トンネル部２０において、紙面に直交する方向をトンネル軸方向とし、トンネル軸方向に平行な軸線回りに周回する方向をトンネル周方向とする。また、図１に示す大断面トンネル１において、紙面左右方向をトンネル幅方向Ｗとする。
【００４２】
単円トンネル１０Ａ、１０Ｂは、地山Ｇに円管状に延設されるセグメントにより構築され、互いに所定の距離をあけてほぼ平行に設けられている（図１１参照）。なお、単円トンネル１０Ａ、１０Ｂ同士の離間は、トンネル軸方向に沿って一定であることに限らず、施工条件に合わせて任意に変化してもよい。そして、単円トンネル１０Ａ、１０Ｂは、それぞれ円形断面で施工され、大断面トンネル１の完成時には、当該単円トンネル１０Ａ、１０Ｂ同士が互いに対向する部分のセグメント（後述する第２単円セグメント１２）が解体され、大断面トンネル１の略楕円形状をなす外殻を形成する一部のセグメント（後述する第１単円セグメント１１）が本設として残される構造となっている。
【００４３】
単円トンネル１０Ａ、１０Ｂを構成するセグメントは、上述した大断面トンネル１の外殻の一部を構成する複数の第１単円セグメント１１と、大断面トンネル１の構築時に撤去される部分を構成する複数の第２単円セグメント１２と、単円セグメント１１、１２のトンネル周方向の一部に介挿されるとともに、大断面トンネル１の外殻のうち接続セグメント２１に接続される接合セグメント３０と、からなる（図２乃至図４参照）。すなわち、単円トンネル１０は、複数の第１単円セグメント１１、複数の第２単円セグメント１２、及び一対の接合セグメント３０によって、円形断面となるようにトンネル周方向に接合されている。
【００４４】
接合セグメント３０は、単円セグメント１１、１２のトンネル周方向の一部に介挿されて設けられ、断面視で単円トンネル１０Ａ、１０ＢのセンターラインＣ１（トンネル幅方向Ｗの中心を通る鉛直中心軸）よりも外側で、且つ水平中心線Ｃ２に対して略斜め４５度（例えば、４５度±５度）に位置している。さらに具体的には、接合セグメント３０の第２接合端面３２がトンネル周方向でセンターラインＣ１からの距離Ｌ１が３０度の位置となっている。そのため、単円トンネル１０におけるトンネル周方向に占める割合は、本実施の形態において、第１単円セグメント１１が第２単円セグメント１２の１／３程度となっている。なお、上記では接合セグメント３０を略斜め４５度の位置としているが、これに限らず、例えば略斜め３０度〜６０度の範囲に設定することが可能である。
【００４５】
第１単円セグメント１１は、地山側の外周面と内空側の内周面との四隅を覆う鋼材から形成されている円弧板状枠体と、この円弧板状枠体の外周面に円筒周面形状に湾曲されて溶接されているスキンプレートと、円弧板状枠体の内部に打設されているコンクリートとから概略構成されている合成セグメントが用いられる。そして、大断面トンネル１の外殻の左右両側部に位置するように一対の単円トンネル１０Ａ、１０Ｂのそれぞれに配置されている。単円トンネル１０のうち第１単円セグメント１１が配置される部分のトンネル周方向の両端部のそれぞれに接合セグメント３０が接合されている。
なお、第１単円セグメント１１は、４つの側面を覆う鋼材にはボルト接合用のボルトボックスが設けられており、このボルトボックスを使用してトンネル周方向及びリング方向に隣接するセグメントに対してボルト締結により接合される。
【００４６】
第２単円セグメント１２は、図５（ａ）、（ｂ）に示すように、トンネル周方向に沿って延在される複数本（ここでは３本）の単円主桁１３と、これら単円主桁１３の外周面に円筒周面形状に湾曲されて溶接されるスキンプレート１４と、単円主桁１３のトンネル周方向の端部に設けられた接続板１５と、トンネル軸方向に連続して接続板１５に設けられた単円シール溝１６Ａ及び単円シール溝１６Ａに沿って連続して設けられる単円シール材１６Ｂによって構成された第１シール構造１６と、を備えた鋼製セグメントが用いられ、接合セグメント３０を介して第１単円セグメント１１（図１参照）に対して構築後に撤去することが可能に接合されている。
なお、図５（ｂ）に示す二点鎖線は、接続セグメント２１を接合セグメント３０に接続する際において、第２接合端面３２側で単円主桁１３同士の間の一部を取り除いて形成される切欠部１５ａと、取り外されるスキンプレート１４とを示している。
【００４７】
ここで、接合セグメント３０の具体的な構成について説明する前に、拡幅トンネル部２０について説明する。
図１に示す拡幅トンネル部２０は、２本の単円トンネル１０Ａ、１０Ｂの外側で、それら単円トンネル１０Ａ、１０Ｂ同士の上側と下側で接続する扁平円弧板状で一定の厚みで湾曲されたアーチ形状の接続セグメント２１（２１Ａ、２１Ｂ）を設けた状態で、上側接続セグメント２１Ａと下側接続セグメント２１Ｂとの間の領域２０Ａである。この領域２０Ａの地山Ｇ１は、上下の接続セグメント２１Ａ、２１Ｂがそれぞれ単円トンネル１０Ａ、１０Ｂに接続されて設置された後、ショベル等の掘削機械を用いて掘削されることになる。
【００４８】
接合セグメント３０に接続される接続セグメント２１Ａ、２１Ｂは、それぞれトンネル周方向に沿って複数に分割されている。分割されている個々の接続セグメント２１Ａ、２１Ｂは、図６に示すように、トンネル周方向に沿って延在される複数本（ここでは２本）の接続主桁２２と、これら接続主桁２２の外周面に扁平円周面形状に湾曲されて溶接されるスキンプレート２３と、接続主桁２２のトンネル周方向の端部に設けられた接続板２４と、トンネル軸方向に連続して接続板２４に設けられた接続シール溝２５Ａ及び接続シール溝２５Ａに沿って連続して設けられる接続シール材２５Ｂによって構成された第２シール構造２５と、を備えた鋼製セグメントが用いられ、単円トンネル１０のセグメント（第１単円セグメント１１、第２単円セグメント１２、接合セグメント３０）と同じ幅寸法となっている（図２（ａ）参照）。
【００４９】
また、接合セグメント３０に接続される接続セグメント２１Ａ、２１Ｂに設けられるスキンプレート２３は、それ以外の接続セグメントに設けられるスキンプレートよりも板厚を厚くしたり、補強材を設けること等によって補強されることが望ましい。それは接続主桁２２と単円主桁１３がオーバーラップする範囲では、トンネル軸方向に渡す縦リブ（図示しない）を設けることができないため、他のセグメントに比べてスキンプレートの強度が不足するためである。
【００５０】
接続セグメント２１Ａ、２１Ｂは、図１に示すように、大断面トンネル１の楕円形状をなす外殻のうち天端部分と下盤部分に配置されている。すなわち、上側接続セグメント２１Ａは突曲面を上側に向けて配置され、下側接続セグメント２１Ｂは突曲面を下側に向けて配置されている。
【００５１】
図４及び図７に示すように、接合セグメント３０は、地山側の外周面と内空側の内周面との四隅を覆う鋼材から形成されている枠体３３と、枠体３３の外周面に円筒周面形状に湾曲されて溶接されているスキンプレート３４と、から概略構成された鋼製セグメントからなる。この接合セグメント３０は、第１単円セグメント１１と第２単円セグメント１２とのセグメントピース間に介在し、トンネル周方向における一端の第１接合端面３１で第１単円セグメント１１の接合面１１ａ（図１参照）に接続し、他端の第２接合端面３２で第２単円セグメント１２の接合面１２ａ（図３（ａ）参照）及び接続セグメント２１の接合面２１ａ（図３（ｂ）参照）を同時に接続することが可能な構成となっている。
【００５２】
ここで、図２（ａ）は、単円トンネル１０の第１単円セグメント１１、接合セグメント３０、及び接続セグメント２１の接合構造を示しており、第２単円セグメント１２が撤去された状態（図１３参照）を示している。
なお、図２（ａ）において、単円トンネル１０のセグメントピッチと接続セグメント２１のセグメントピッチとをトンネル軸方向に一致させた構成となっているが、これに限定されることはない。例えば、図２（ｂ）に示すように、単円トンネル１０と接続セグメント２１のピッチをトンネル幅方向で半ピッチだけずらした位置に設けるようにすることも可能である。
【００５３】
図３（ａ）、（ｂ）、及び図４に示すように、接合セグメント３０は、上述したように第１接合端面３１と第２接合端面３２を有し、第２接合端面３２の下側部分からトンネル周方向の外側に向けて突出する凸部３５が設けられている。この凸部３５の地山側の外周面３５ａには、接続セグメント２１が当接されている。
第１接合端面３１には、第１単円セグメント１１の接合面に対してボルト接合可能な図示しないボルトボックスが設けられている。
【００５４】
また、第２接合端面３２には、図７及び図８に示すように、第２単円セグメント１２の３本の単円主桁１３と接続セグメント２１の２本の接続主桁２２とがトンネル軸方向に交互にずれた位置で接続される。すなわち、第２接合端面３２には、単円主桁１３用のボルト孔３２ａが設けられる単円主桁接合部３２Ａと、接続主桁２２用のボルト孔３２ａが設けられる接続主桁接合部３２Ｂとが、それぞれ単円主桁１３と接続主桁２２に対応する位置に設けられている。これにより、単円主桁１３及び接続主桁２２は、第２接合端面３２に対してボルトにより着脱可能に接続されるようになっている。なお、図７では、見易くするために接続セグメント２１のスキンプレート２３、及び第２単円セグメント１２のスキンプレート１４が省略されている。
【００５５】
接合セグメント３０には、図８、図９及び図１０に示すように、トンネル周方向の中間部分には、第２接合端面３２に対向するエンドプレート３６が設けられ、第２接合端面３２を構成する接合プレートと、エンドプレート３６とを連結する補剛プレート３７（補剛材）が設けられている。補剛プレート３７は、面方向を接合セグメント３０のスキンプレート３４と略平行にして配置されている。
また、補剛プレート３７のトンネル半径方向の位置を接続セグメント２１の接続主桁２２が設置される領域の位置とすることで、トンネル周方向の軸力を良好に伝達することが可能となる。なお、補剛プレート３７は、鋼製に限定するものではなく、コンクリート製や鋼・コンクリート製でも良い。さらに、補剛プレート３７、エンドプレート３６、及びスキンプレート３４で囲まれた空間にコンクリートを充填する構造であっても良い。
【００５６】
また、図４及び図１０（ａ）、（ｂ）に示すように、接合セグメント３０の第２接合端面３２には、トンネル軸方向に連続して設けられる接合シール溝３８Ａと、この接合シール溝３８Ａに沿って連続して設けられる接合シール材３８Ｂと、によって構成される第３シール構造３８を有している。
そして、接合シール材３８Ｂと、単円シール材１６Ｂ及び接続シール材２５Ｂとは、それぞれのセグメント同士の接続状態において、同一のトンネル半径方向位置であって、セグメント外周寄りの位置に配置されている。
【００５７】
次に、上述したトンネル接続構造を用いたトンネル接続方法と、トンネル接続構造の作用について、図面に基づいて詳細に説明する。
ここでは、図１に示すように、シールド工法により先行して構築される２本の単円トンネル１０Ａ、１０Ｂを施工し、この単円セグメントに対して、大断面トンネル１の拡幅トンネル部２０の接続セグメント２１を接続する施工方法について説明する。
【００５８】
図１１に示すように、先ず、先行して２本の単円トンネル１０Ａ、１０Ｂを施工する。これら単円トンネル１０Ａ、１０Ｂのそれぞれは、通常のシールド工法が採用され、立坑などの発進坑から所定外径のシールド掘削機により掘進させ、その掘進と同時に掘削機本体のシールド内で単円セグメント１１、１２を組み立てられてシールドトンネルとして構築される。
【００５９】
このとき、単円トンネル１０のトンネル周方向の一部（上述した略斜め４５度の位置の２箇所）に接合セグメント３０を介挿し、図２（ａ）、図３（ａ）、及び図７に示すように、接合セグメント３０における第２接合端面３２の単円主桁接合部３２Ａに第２単円セグメント１２の単円主桁１３をボルトにより接続してリング状の単円トンネル１０を構築する。なお、２本の単円トンネル１０Ａ、１０Ｂは、２本並行で同時に掘進してもよいし、いずれか一方のトンネルを先行させて掘進させてもよい。
【００６０】
このとき構築される単円トンネル１０は、接合セグメント３０に接続される第２単円セグメント１２が図５（ａ）に示すようにスキンプレート１４を有するセグメントが接続されているため、従来のように特殊な切欠部が設けられた複雑な構造のセグメントに比べて簡単な構造ですみ、切欠部を設けたセグメントのような過大な曲げモーメントが作用することがない構造となっている。
【００６１】
また、このとき、単円トンネル１０における地山側のトンネル外周面位置を一致させた切欠部の無い構造となり、トンネル周方向に連結される個々の単円セグメント１１、１２同士の外周面が全周にわたって滑らかに連続するため、偏心に伴う曲げが作用することばく、過大な曲げモーメントが作用しない構造をより確実に実現することができる。
【００６２】
次に、図１２に示すように、各単円トンネル１０Ａ、１０Ｂのそれぞれの上下２箇所に配置される接合セグメント３０に、接続セグメント２１（２１Ａ、２１Ｂ）を接続する（図１３参照）。具体的には、隣接する単円トンネル１０Ａ、１０Ｂを構築後、上記接続セグメント２１の設置領域に、各単円トンネル１０Ａ、１０Ｂの内空側から周辺地山に向けて地山改良剤等の薬液や液体窒素等を注入して地山改良を行い、接続セグメント２１を設置するために適当な領域の地山を掘削した後に、既設の単円トンネル１０Ａ、１０Ｂの接合セグメント３０に接続される第２単円セグメント１２のスキンプレート１４を撤去する。
【００６３】
ここでは、図５（ｂ）に示すように、隣接する単円主桁１３同士の間の接続板１５の一部をガス切断などで取り除いて切欠部１５ａを形成するとともに、スキンプレート１４を取り外す。この切欠部１５ａを形成することで、接合セグメント３０における第２接合端面３２の接続主桁接合部３２Ｂと単円トンネル１０の外方とが連通された状態となる。
【００６４】
続いて、図７に示すように、接続セグメント２１の２本の接続主桁２２をそれぞれ第２単円セグメント１２の単円主桁１３同士の間に配置させ、接続主桁２２の接続板２４を接続主桁接合部３２Ｂにボルト接合する（図１参照）。これにより、第２接合端面３２において、単円主桁１３が接続されていないトンネル軸方向にずれた位置で互いに干渉することなく接続主桁２２が接続され、断面が楕円形状の大断面トンネル１の外殻部が構築されることになる。
【００６５】
このように、接合セグメント３０の第２接合端面３２に接続されている第２単円セグメント１２のスキンプレート１４が取り外されていないときには、単円セグメント１１、１２及び接合セグメント３０のみでトンネルとして機能させることができる。そして、接合セグメント３０を第２接合端面３２に接続する直前にのみ、スキンプレート１４を取り外すことで、接続主桁２２の第２接合端面３２への接続部分の領域が開放され、その接続主桁２２を第２単円セグメント１２のスキンプレート１４に干渉することなく接続することができる。
【００６６】
しかも、接合セグメント３０に接続セグメント２１が接続された後でも、接合セグメント３０と接続セグメント２１のそれぞれのトンネル外周面に位置するスキンプレート２３、３４同士がトンネル周方向に連設し、両スキンプレート２３、３４間に隙間が形成されないので、地下水がトンネル内空側へ浸水することを防止することが可能となる。
【００６７】
また、本実施の形態では、第２接合端面３２に接続される単円主桁１３と接続主桁２２がトンネル軸方向に交互に配置されているので、単円主桁１３と接続主桁２２とがトンネル軸方向にバランス良く配置されることとなり、曲げモーメントの安定性を高めることができる。
【００６８】
また、接続セグメント２１を接合セグメント３０の第２接合端面３２に接続する前に、第２単円セグメント１２と接合セグメント３０の第２接合端面３２との間に設けられた単円シール材１６Ｂ、接合シール材３８Ｂ同士が同一のトンネル半径方向位置においてトンネル軸方向に連続して当接することになる。さらに、第２接合端面３２に接続セグメント２１が接続された後、取り外された第２単円セグメント１２の接続板１５の切欠部１５ａの代わりに介挿された接続セグメント２１の端面に備えられた接続シール材２５Ｂと、残置された単円主桁に備えられた単円シール材１６Ｂと、がトンネル軸方向に連続し、単円シール材１６Ｂ及び接続シール材２５Ｂと、接合シール材３８Ｂとが同一のトンネル半径方向位置においてトンネル軸方向に連続して当接することになる。
そのため、拡幅トンネル部の接続前後で地下水がトンネル内空側へ浸水することを防止することが可能となる。
【００６９】
次いで、図１に示すように、上下の接続セグメント２１Ａ、２１Ｂを各単円トンネル１０Ａ、１０Ｂに接続した後、拡幅トンネル部２０において接続セグメント２１と２本の単円トンネル１０Ａ、１０Ｂの第２単円セグメント１２との間の領域２０Ａの地山Ｇ１を掘削する。このとき、接合セグメント３０の第２接合端面３２に接続セグメント２１が接続されるので、その接合部分の周辺地山の安定性を確保した後に、大断面トンネル１の内部に存在する接合セグメント３０に接続される接続板１５を除く第２単円セグメント１２を取り外して撤去する。これにより、図１３に示すように、撤去されずに地山内に残った第１単円セグメント１１と接続セグメント２１Ａ、２１Ｂとによって外殻を形成させた大空間地下空間（大断面トンネル１）が構築される（図２（ａ）参照）。
【００７０】
このように本実施の形態では、図１に示すように、接合セグメント３０の第２接合端面３２に単円トンネル１０Ａ、１０Ｂの第２単円セグメント１２と、拡幅トンネル部２０の接続セグメント２１Ａ、２１Ｂとの両方を同時に、且つそれぞれの単円主桁１３、接続主桁２２同士を干渉させることなく接続することができる。そのため、２本の単円トンネル１０Ａ、１０Ｂをそれぞれ安定させた状態のまま、第１単円セグメント１１の一部に接合セグメント３０を介して接続セグメント２１Ａ、２１Ｂを接続することができる。
【００７１】
そして、本実施の形態では、第２接合端面３２を構成する接合プレートとエンドプレート３６とを連結する補剛プレート３７が設けられているので、補剛プレート３７は、第２接合端面３２自体の変形を抑えることができるのは勿論、接続セグメント２１や第２単円セグメント１２によるトンネル周方向の軸力を、接合セグメント３０の前記接合プレートに設けた補剛プレート３７からエンドプレート３６を介して単円トンネル１０全体にトンネル周方向に効率よく伝達することができる利点がある。
【００７２】
また、本実施の形態では、単円主桁１３及び接続主桁２２のそれぞれには、第２接合端面３２に接続する端部にボルト孔を有する接続板１５、２４が設けられているので、第２接合端面３２に対して単円主桁１３及び接続主桁２２をボルト接合により簡単に、且つ短時間で取り付けて接続することができるので、効率よく施工を行うことが可能となる。
【００７３】
なお、接続セグメント２１を接合セグメント３０の第２接合端面３２に接続した後に、前記第２接合端面３２の下側部分からトンネル周方向の外側に向けて突出する凸部３５の外周面側に向かって、第２接合端面３２に接続される単円主桁１３を現場で迅速に撤去するため、第２接合端面３２の方向をトンネル法線方向よりも傾けて設置し、クサビ形状がさらに大きくなるような形状で設置しておくとよい。このようにしておくと接続セグメント２１を現場で設置する場合にも、第２接合端面３２に対する位置合わせが容易になり都合が良い。
また、先に設置したトンネルには外圧によりトンネル周方向に軸圧縮力が働いているため、トンネルの一部のセグメントを撤去する際に抵抗が生じて作業しにくくなる。そのため、第２接合端面３２の向かい合う接続板の表面が滑り易い素材の面材（例えばフッ素樹脂板）を予め設置しておくことで、単円主桁１３の撤去がより容易になる。
【００７４】
さらに、本実施の形態では、図３（ａ）及び図７に示すように、接合セグメント３０の第２接合端面３２の下側部分に凸部３５が形成され、凸部３５の地山側の外周面３５ａに第２単円セグメント１２の単円主桁１３のトンネル内空側が当接しているので、接合セグメント３０が単円トンネル１０Ａ、１０Ｂの上側に位置し、接合セグメント３０の第２接合端面３２に第２単円セグメント１２だけでなく接続セグメント２１も接続された場合には、その第２接合端面３２の部分に作用する曲げモーメントが大きくなるが、第２接合端面３２に接続される単円主桁１３が凸部３５の外周面３５ａに当接して、単円主桁１３の荷重を接合セグメント３０全体で負担することができる。そのため、第２接合端面３２の部分に作用する曲げモーメントを抑制することができ、トンネルの安定性を確保することができる。
【００７５】
さらにまた、本実施の形態では、単円トンネル１０の接合セグメント３０と接続セグメント２１との間の接続位置を、楕円形状の大断面トンネル１におけるトンネル外側の位置にすることで、トンネル断面を大きく膨らませることなく楕円形に近い形状にすることが可能となり、接合セグメント３０との継手部に発生する曲げモーメントを低減することができる。
【００７６】
以上、本発明によるトンネル接続構造およびトンネル接続方法の実施の形態について説明したが、本発明は上記の実施の形態に限定されるものではなく、その趣旨を逸脱しない範囲で適宜変更可能である。
【００７７】
例えば、本実施の形態では、２本の単円トンネル１０Ａ、１０Ｂ同士を拡幅トンネル部２０で連結して楕円形状の大断面トンネル１を構築する場合に本トンネル接続構造を適用しているが、このような適用例に限定されることはなく、例えば、１本の単円トンネル１０に対して接続セグメントを備えて形成される拡幅部を設けるような場合にも適用することができる。
【００７８】
また、単円トンネル１０のセグメントの構成として、本実施の形態のように接合セグメント３０を除いて合成セグメントからなる第１単円セグメント１１と鋼製セグメントからなる第２単円セグメント１２の二種類を備えているが、これに限定されることはなく、トンネル全周にわたって全てのセグメントが鋼製セグメントであってもかまわない。
【００７９】
また、接合セグメント３０を設ける数量は、本実施の形態では１本の単円トンネル１０のトンネル周方向において２箇所としているが、１箇所であってもかまわない。
さらに、接合セグメント３０の具体的な構成として、エンドプレート３６や補剛プレート３７の形状、厚さ、取り付け位置等は適宜変更することができ、省略することも可能である。
【００８０】
また、接合セグメント３０における第２接合端面３２と単円主桁１３及び接続主桁２２との接続がボルト・ナットによる接合であることに制限されず、例えばワンタッチ式のボルト接合等の他の接続手段を採用してもよい。そして、第２接合端面３２は、単円主桁１３及び接続主桁２２のそれぞれの本数、大きさ等の構成に合わせた接合面に適宜設定することが可能である。
さらに、接合セグメント３０として、本実施の形態では凸部３５が形成されているが、この突出長などの構成は適宜変更することができるし、省略することも可能である。
【００８１】
さらに、本実施の形態では、接合セグメントのトンネル周方向の中間部分に第２接合端面に対向するエンドプレート３６を設けた構成としているが、エンドプレート３６はこの位置であることに制限されることはない。例えば、図１４に示すように、第１接合端面３１をエンドプレート３６と兼ね、補剛プレート３７のトンネル周方向の長さを大きく取る構成とすることも可能である。
【符号の説明】
【００８２】
１  大断面トンネル
１０、１０Ａ、１０Ｂ  単円トンネル
１１  第１単円セグメント
１２  第２単円セグメント
１３  単円主桁
１４  スキンプレート
１６  第１シール構造
１６Ａ  単円シール溝
１６Ｂ  単円シール材
２０  拡幅トンネル部
２１、２１Ａ、２１Ｂ  接続セグメント
２２  接続主桁
２３  スキンプレート
２５  第２シール構造
２５Ａ  接続シール溝
２５Ｂ  接続シール材
３０  接合セグメント
３１  第１接合端面
３２  第２接合端面
３６  エンドプレート
３７  補剛プレート（補剛材）
３８  第３シール構造
３８Ａ  接合シール溝
３８Ｂ  接合シール材
【図１】
2015059395.tif 000003
【図２】
2015059395.tif 000004
【図３】
2015059395.tif 000005
【図４】
2015059395.tif 000006
【図５】
2015059395.tif 000007
【図６】
2015059395.tif 000008
【図７】
2015059395.tif 000009
【図８】
2015059395.tif 000010
【図９】
2015059395.tif 000011
【図１０】
2015059395.tif 000012
【図１１】
2015059395.tif 000013
【図１２】
2015059395.tif 000014
【図１３】
2015059395.tif 000015
【図１４】
2015059395.tif 000016
【図１５】
2015059395.tif 000017